(57)【要約】【課題】浄水ケーキの有効利用を図ることができ、フッ素で汚染された土壌や固形産業廃棄物からのフッ素の溶出を防止可能な水溶性フッ素化合物溶出防止用資材の提供。【解決手段】本発明の水溶性フッ素化合物溶出防止用資材は、水溶性フッ素化合物によって汚染された土壌または固形産業廃棄物を処理対象として、これらの処理対象から処理対象周辺の非汚染領域へ水溶性フッ素化合物が溶出するのを防止するために使用される水溶性フッ素化合物溶出防止用資材であって、浄水ケーキの粉砕物を主成分とすることを特徴とするものである。浄水ケーキの粉砕物は、風乾あるいは１５０℃以下で通風加熱乾燥されたものであると好ましい。また、浄水ケーキの粉砕物に対して、さらに、カルシウム化合物およびマグネシウム化合物の中から選ばれる少なくとも１種の化合物が添加、混合されているものであると好ましい。【選択図】なし【特許請求の範囲】
【請求項１】
水溶性フッ素化合物によって汚染された土壌または固形産業廃棄物を処理対象として、前記処理対象から前記処理対象周辺の非汚染領域へ前記水溶性フッ素化合物が溶出するのを防止するために使用される水溶性フッ素化合物溶出防止用資材であって、
浄水ケーキの粉砕物を主成分とする
ことを特徴とする水溶性フッ素化合物溶出防止用資材。
【請求項２】
前記浄水ケーキの粉砕物は、風乾あるいは１５０℃以下で通風加熱乾燥されたものである
ことを特徴とする請求項１に記載の水溶性フッ素化合物溶出防止用資材。
【請求項３】
前記浄水ケーキの粉砕物に対して、さらに、カルシウム化合物およびマグネシウム化合物の中から選ばれる少なくとも１種の化合物が添加、混合されている
ことを特徴とする請求項１または請求項２に記載の水溶性フッ素化合物溶出防止用資材。
【請求項４】
前記カルシウム化合物および前記マグネシウム化合物の中から選ばれる少なくとも１種の化合物は、Ｃａ（ＯＨ）2、ＣａＣＯ3、ＭｇＯ、Ｍｇ（ＯＨ）2、ＣａＣｌ2、ＣａＳＯ4、ＭｇＣｌ2、ＭｇＳＯ4の中から選ばれる少なくとも１種の化合物である
ことを特徴とする請求項３に記載の水溶性フッ素化合物溶出防止用資材。
【請求項５】
前記浄水ケーキの粉砕物は、粒径７ｍｍ以下の粉粒体であり、前記処理対象に対して添加、混合されるものである
ことを特徴とする請求項１〜請求項４のいずれかに記載の水溶性フッ素化合物溶出防止用資材。
【請求項６】
水溶性フッ素化合物によって汚染された土壌または固形産業廃棄物を処理対象として、前記処理対象から前記処理対象周辺の非汚染領域へ前記水溶性フッ素化合物が溶出するのを防止するために使用される水溶性フッ素化合物溶出防止用資材の製造方法であって、
浄水ケーキを粉砕、篩別することにより、粒径７ｍｍ以下の粉粒体からなる粉砕物とする
ことを特徴とする水溶性フッ素化合物溶出防止用資材の製造方法。
【請求項７】
前記浄水ケーキの粉砕物を、風乾あるいは１５０℃以下で通風加熱乾燥する
ことを特徴とする請求項６に記載の水溶性フッ素化合物溶出防止用資材の製造方法。
【請求項８】
前記浄水ケーキの粉砕物に対して、さらに、カルシウム化合物およびマグネシウム化合物の中から選ばれる少なくとも１種を添加、混合する
ことを特徴とする請求項６または請求項７のいずれかに記載の水溶性フッ素化合物溶出防止用資材の製造方法。
【請求項９】
請求項１〜請求項５のいずれかに記載された水溶性フッ素化合物溶出防止用資材を、前記処理対象に対して添加、混合する
ことを特徴とする水溶性フッ素化合物溶出防止方法。
【発明の詳細な説明】
【技術分野】
【０００１】
本発明は、水溶性フッ素化合物によって汚染された土壌または固形産業廃棄物から、その周辺の非汚染領域へ水溶性フッ素化合物が溶出するのを防止するために使用される水溶性フッ素化合物溶出防止用資材と、その製造方法、および水溶性フッ素化合物溶出防止方法に関する。
【背景技術】
【０００２】
浄水ケーキは、浄水場での水処理過程で発生する沈澱物を加圧・脱水、あるいは天日乾燥したもので、一般的には、産業廃棄物として処分されている。しかし、産業廃棄物として排出される浄水ケーキは年々増加の一途をたどり、埋め立て処分地等の確保も困難となっている現状にある。そのため、その資源化、利用法が望まれている。
【０００３】
浄水ケーキを資源化する方法としては、従来、浄水ケーキを利用して水質浄化資材を製造することが既に提案されている（例えば、下記特許文献１参照）。この特許文献１に記載の水質浄化資材は、例えば、湖沼などの中に投入されたり、カラム状の容器に充填して用いられたり、あるいは、水中の懸濁物質の凝集剤として使用されたりするものである（特許文献１：段落［００３８］参照）。
【特許文献１】特開平１０−５７８０４号公報
【発明の開示】
【発明が解決しようとする課題】
【０００４】
ところで、フッ素は強い反応性を持つ物質であり、自然界では、蛍石［ＣａＦ2］、氷晶石［Ｎａ2ＡｌＦ3］、燐灰石［Ｃａ3（Ｆ2Ｃｌ）（ＰＯ4）3］などの鉱物として存在している。こうしたフッ素は、土壌中には平均２８５ｐｐｍ程度が存在するものの、水や塩類溶液に可溶化するフッ素はごく少ない。
【０００５】
しかし、例えば、人為的な行為等によって不安定な形態のフッ素化合物が生成されたり廃棄されたりすると、土壌のフッ素濃度が環境基準（溶出濃度：０．８ｍｇ／Ｌ）を上回るような事態に至ることもある。代表的な例を挙げれば、フッ素に汚染された工場跡地の土壌、フッ素を含有するスラッジやスラグなどの固形産業廃棄物などには、環境基準（０．８ｍｇ／Ｌ）を上回るフッ素が含まれていることもある。その場合、そのような土壌は汚染土壌と認定され、その対策が義務付けられている。
【０００６】
こうした汚染土対策としては、大別すると、汚染土を現地より取り除く排土処理や、現地で汚染濃度を低減する不溶化処理などを挙げることができる。前者の排土処理は一般に汚染物質含有率の高い汚染土壌を対象として行われることが多い。しかし、多大な経費を要する上に、汚染土の運搬に伴う周辺環境の汚染問題や、今後ますます困難となる汚染土を受け入れる管理型最終処分地の確保が課題となる。
【０００７】
これに対し、後者の現地での不溶化処理は、前者の排土処理に比べれば低廉であり、第二溶出基準（フッ素では２４ｍｇ／Ｌ以下）の低濃度の汚染地に対する対策法として有益である。現地で処理をする方法としては、例えば、鋼矢板などで汚染土壌を囲い込み、水溶化した汚染物質を封じ込める方法がある。また、汚染土にセメント等の固化材を加えて固化することによって汚染物質を封じ込める方法などもある。
【０００８】
しかし、これらの方法でも相応にコストがかかるため、より低廉で、かつ自然にも優しい汚染土対策が求められているのが実情である。
こうした背景の下、本件発明者は、浄水ケーキに着目し、フッ素で汚染された土壌や固形産業廃棄物に対して浄水ケーキ由来の資材を適用することにより、フッ素の溶出を効果的に防止できることを見いだした。
【０００９】
浄水ケーキにフッ素吸着能があること自体は公知であり、例えば、上記特許文献１では、水中からのフッ素吸着に利用することが提案されている。しかし、上記特許文献１での提案は、浄水ケーキ由来の水質浄化資材についての提案にとどまり、かつ、浄水ケーキに酸化剤や鉄塩などを添加したもの材料としている。さらに、フッ素で汚染された土壌や固形産業廃棄物に対する適用、特に土壌や固形産業廃棄物からのフッ素の溶出防止に関しては、その有用性や実効性について何らの検証もなされていない。すなわち、フッ素で汚染された土壌や固形産業廃棄物に対して浄水ケーキ由来の資材を適用する技術は、これまでに類例がない新規な技術である。
【００１０】
本発明は、上記のような知見に基づいて完成されたものであり、その目的は、低廉で、自然に優しく、産業廃棄物である浄水ケーキの有効利用を図る上でも有用で、フッ素で汚染された土壌や固形産業廃棄物からのフッ素の溶出を防止可能な水溶性フッ素化合物溶出防止用資材と、その製造方法、および水溶性フッ素化合物溶出防止方法を提供することにある。
【課題を解決するための手段】
【００１１】
以下、本発明において採用した構成について説明する。
請求項１に記載の水溶性フッ素化合物溶出防止用資材は、水溶性フッ素化合物によって汚染された土壌または固形産業廃棄物を処理対象として、前記処理対象から前記処理対象周辺の非汚染領域へ前記水溶性フッ素化合物が溶出するのを防止するために使用される水溶性フッ素化合物溶出防止用資材であって、浄水ケーキの粉砕物を主成分とすることを特徴とする。
【００１２】
請求項２に記載の水溶性フッ素化合物溶出防止用資材は、請求項１に記載の水溶性フッ素化合物溶出防止用資材において、前記浄水ケーキの粉砕物は、風乾あるいは１５０℃以下で通風加熱乾燥されたものであることを特徴とする。
【００１３】
請求項３に記載の水溶性フッ素化合物溶出防止用資材は、請求項１または請求項２に記載の水溶性フッ素化合物溶出防止用資材において、前記浄水ケーキの粉砕物に対して、さらに、カルシウム化合物およびマグネシウム化合物の中から選ばれる少なくとも１種の化合物が添加、混合されていることを特徴とする。
【００１４】
請求項４に記載の水溶性フッ素化合物溶出防止用資材は、請求項３に記載の水溶性フッ素化合物溶出防止用資材において、前記カルシウム化合物および前記マグネシウム化合物の中から選ばれる少なくとも１種の化合物は、Ｃａ（ＯＨ）2、ＣａＣＯ3、ＭｇＯ、Ｍｇ（ＯＨ）2、ＣａＣｌ2、ＣａＳＯ4、ＭｇＣｌ2、ＭｇＳＯ4の中から選ばれる少なくとも１種の化合物であることを特徴とする。
【００１５】
請求項５に記載の水溶性フッ素化合物溶出防止用資材は、請求項１〜請求項４のいずれかに記載の水溶性フッ素化合物溶出防止用資材において、前記浄水ケーキの粉砕物は、粒径７ｍｍ以下の粉粒体であり、前記処理対象に対して添加、混合されるものであることを特徴とする。
【００１６】
請求項６に記載の水溶性フッ素化合物溶出防止用資材の製造方法は、水溶性フッ素化合物によって汚染された土壌または固形産業廃棄物を処理対象として、前記処理対象から前記処理対象周辺の非汚染領域へ前記水溶性フッ素化合物が溶出するのを防止するために使用される水溶性フッ素化合物溶出防止用資材の製造方法であって、浄水ケーキを粉砕、篩別することにより、粒径７ｍｍ以下の粉粒体からなる粉砕物とすることを特徴とする。
【００１７】
請求項７に記載の水溶性フッ素化合物溶出防止用資材の製造方法は、請求項６に記載の水溶性フッ素化合物溶出防止用資材の製造方法において、前記浄水ケーキの粉砕物を、風乾あるいは１５０℃以下で通風加熱乾燥することを特徴とする。
【００１８】
請求項８に記載の水溶性フッ素化合物溶出防止用資材の製造方法は、請求項６または請求項７のいずれかに記載の水溶性フッ素化合物溶出防止用資材の製造方法において、前記浄水ケーキの粉砕物に対して、さらに、カルシウム化合物およびマグネシウム化合物の中から選ばれる少なくとも１種を添加、混合することを特徴とする。
【００１９】
請求項９に記載の水溶性フッ素化合物溶出防止方法は、請求項１〜請求項５のいずれかに記載された水溶性フッ素化合物溶出防止用資材を、前記処理対象に対して添加、混合することを特徴とする。
【００２０】
以上のような構成を採用した本発明の水溶性フッ素化合物溶出防止用資材は、浄水ケーキの粉砕物を主成分とするものなので、低廉で、自然に優しく、産業廃棄物である浄水ケーキの有効利用を図る上で有用であり、ひいては、産業廃棄物の再資源化を介して廃棄物処分場の延命化にも役立つ。
【００２１】
また、原料となる浄水ケーキには、多量のアルミニウムがＡｌ（ＯＨ）3の形で含まれている。これは、浄水ケーキには、浄水場でポリ塩化アルミニウム（ＰＡＣ）や硫酸アルミニウムが、凝集剤として添加されているからである。
【００２２】
そのため、このような浄水ケーキ由来の資材をフッ素で汚染された土壌や固形産業廃棄物に添加、混合すると、土壌や固形産業廃棄物に含まれるフッ素とアルミニウムが化学反応して不溶化合物が形成されることになり、フッ素の溶出を防止することができる。
【００２３】
特に、本発明の水溶性フッ素化合物溶出防止用資材は、環境基準値（０．８ｍｇ／Ｌ）から第２環境基準値（２４ｍｇ／Ｌ）までの低濃度範囲のフッ素汚染物に対する濃度軽減資材として有効である。軽減処理物は現地の埋め戻し材として利用できるだけでなく、その他の埋め立て資材としても有効に利用できる。
【００２４】
ところで、フッ素はカルシウム（石灰）やマグネシウムとも反応し、低溶解度化することが知られている。したがって、浄水ケーキの粉砕物に対して、さらに、カルシウム化合物およびマグネシウム化合物の中から選ばれる少なくとも１種の化合物が添加、混合されていれば、フッ素の不溶化能を向上させることができる。
【００２５】
カルシウム化合物およびマグネシウム化合物の中から選ばれる少なくとも１種の化合物としては、例えば、Ｃａ（ＯＨ）2、ＣａＣＯ3、ＭｇＯ、Ｍｇ（ＯＨ）2、ＣａＣｌ2、ＣａＳＯ4、ＭｇＣｌ2、ＭｇＳＯ4の中から選ばれる少なくとも１種の化合物を利用できる。
【００２６】
また、高温条件での焼成を行うと、乾燥工程で消費するエネルギーが増大するので、この点でも、浄水ケーキの粉砕物は、風乾あるいは１５０℃以下で通風加熱乾燥されたものである方が好ましい。
【００２７】
さらに、浄水ケーキの粉砕物は、粒径７ｍｍ以下の粉粒体であると、汚染された土壌または固形産業廃棄物に対して添加、混合する上で好適なものとなる。このような粒径の粉砕物は、浄水ケーキを粉砕、篩別することによって得ることができる。
【００２８】
なお、浄水ケーキの粉砕物は、用途によっては粒径７ｍｍ以上の粒体としてもよい。例えば、浄水ケーキの粉砕物は、粒径８〜３０ｍｍの粒体であってもよく、このような粉砕物は、処理対象と非汚染領域との境界部分に充填して、透水性のあるフッ素化合物遮断壁を形成するのに好適である。
【００２９】
また、浄水ケーキは、土壌中に存在するリン酸イオン、リン酸イオンと類似した行動をするヒ素、平成１１年に新たに環境基準が設けられたホウ素などに対する吸着機能も備えている。
【００３０】
したがって、本発明の水溶性フッ素化合物溶出防止用資材は、これらの汚染原因物質についての溶出防止用資材としても有効であり、これらの汚染原因物質による複合汚染土や産業廃棄物の濃度軽減資材としても有効である。
【発明を実施するための最良の形態】
【００３１】
次に、本発明の実施形態について一例を挙げて説明する。
［実施例１］
浄水場（高野浄水場：三重県）より採取した浄水ケーキ乾燥物（２ｍｍ篩を通過したもの（Ｎｏ．１Ａ）、０．４２５ｍｍ篩を通過したもの（Ｎｏ．１Ｂ））１０ｇｍに１００ｍｌのフッ素含有溶液（１３．８ｍｇ／Ｌ）を加え、時々撹拌しながら３時間室内で抽出した。その後、ろ過（Ｎｏ．５Ｃろ紙）したろ液中のフッ素濃度を測定した。その結果を表１に示す。
【００３２】
【表１】
2009000593.tif 000002
浄水ケーキを添加した実施例（Ｎｏ．１Ａ、１Ｂ）では、ろ液中のフッ素濃度が浄水ケーキ無添加の比較例（Ｎｏ．１Ｃ）に比べて顕著に低下し、両者とも環境基準値である０．８ｍｇ／Ｌ以下となった。
【００３３】
このように、浄水ケーキ粉粒体にはフッ素吸着能が存在することが明らかとなった。その中でも、粒径の小さいＮｏ．１Ｂの方が高いフッ素吸着能を示した。
［実施例２］
各浄水場より採取した浄水ケーキを風乾させたのち、２ｍｍ以下に篩い分けた。そのもの１０ｇに上記の実施例１と同様に１００ｍｌのフッ素含有溶液を加えてフッ素を吸着させた。その後、ろ液中のフッ素濃度を定量し、その低下度合に基づいて各浄水ケーキのフッ素吸着能を比較した。その結果を表２に示す。
【００３４】
【表２】
2009000593.tif 000003
これより明らかなように、浄水ケーキはいずれもフッ素吸着能を示すが、その機能は浄水場によって異なっていた。そのうち、Ｎｏ．２Ｄ、２Ｅ、２Ｈ、２Ｉは同一水系（木曽川水系）に位置する浄水場由来のものであり、Ｎｏ．２Ａ、２Ｃは浄水ケーキの脱水方法（２Ａ：加圧脱水、２Ｃ：天日乾燥）を異にする同一浄水場のものである。
【００３５】
［実施例３］
フッ素汚染土（水溶性フッ素：５．９１ｍｇ／Ｌ）１０ｇに０．５ｇあるいは１．０ｇの浄水ケーキ（２ｍｍ以下）を添加してよく混合した。そのものに１００ｍｌの水を加えて３時間、室内で時々攪拌しながら抽出し、その後ろ過した。
【００３６】
そのろ過液（Ｎｏ．５Ｃろ紙）中のフッ素濃度を測定した。また、上記と同様に浄水ケーキを添加したものに少量の水（畑状態）を加え、一週間３０度でインキュベーションしたのち、同様にろ液中のフッ素濃度を測定する処理区も設けた。それらの結果を表３に示す。
【００３７】
【表３】
2009000593.tif 000004
浄水ケーキを添加したのちに抽出した試験１では浄水ケーキの添加により水溶性フッ素濃度が低下し、その低下は浄水ケーキの添加量の多いほど顕著であった。さらに、それらを一週間インキュベーションした試験２では上記以上に水溶性フッ素濃度の低下が認められた。
【００３８】
この結果は、浄水ケーキの添加によってフッ素汚染土の水溶性フッ素濃度を低減するが、汚染土壌と浄水ケーキの接触期間を長くすることによって濃度低減効果がより強まることを示唆する。
【００３９】
［実施例４］
フッ素汚染土（フッ素：４．９０ｍｇ／Ｌ）１０ｇに粒径を異にする浄水ケーキ１ｇ（１０％）を添加してよく混合した。そのものに１００ｍｌの水を加えて時々攪拌しながら３時間、室内で抽出した。そのろ過液（Ｎｏ．５Ｃろ紙）中の水溶性フッ素濃度を測定した。その結果を表４に示す。
【００４０】
【表４】
2009000593.tif 000005
浄水ケーキを添加した実施例（Ｎｏ．５Ａ〜５Ｅ）では無添加の比較例（Ｎｏ．５Ｆ）に比べて水溶性フッ素濃度が低下し、その低下度合は粒径の小さいものほど高かった。このことは、土壌中フッ素の不溶化を迅速、かつ効果的に行うためには細かい粒径の浄水ケーキを用いることが効果的であることを示唆する。
【００４１】
［実施例５］
浄水ケーキ（高野ケーキ、粒径：２ｍｍ以下）１０ｇに１００ｍｌの砒素溶液（１０ｍｇ／Ｌ）あるいはホウ素溶液（５．７２ｍｇ／Ｌ）を加え、時々かくはんしながら３時間、室内でインキュベーションした。それらろ過液中の砒素およびホウ素濃度を測定した。その結果を表５に示す。
【００４２】
【表５】
2009000593.tif 000006
これより明らかなように、浄水ケーキはフッ素のみならず、砒素およびホウ素を吸着固定し、不溶化する機能を有することが明らかとなった。
【００４３】
［実施例６］
浄水ケーキ（高野浄水ケーキ、２ｍｍ以下）に消石灰を添加し、ｐＨを８．０（１０ｍｇ／１００ｇ）および１０．０（７０ｇ／１００ｇ）となるように矯正した。未矯正ケーキおよび上記の矯正ケーキ１０ｇに対して１００ｍｌのフッ素含有溶液（６．２３ｍｇ／Ｌ）を加えたのち、３時間、室内で抽出した。その後、ろ過液中のフッ素濃度を測定した。その結果を表６に示す。
【００４４】
【表６】
2009000593.tif 000007
溶液中のフッ素濃度は浄水ケーキの存在によって低下したが、それ以上に浄水ケーキへの消石灰の添加が溶液中のフッ素濃度の低下に働いていた。その低下は消石灰の添加量が多いほど顕著であった。しかし、消石灰の添加によって浄水ケーキのｐＨは高まった。
【００４５】
したがって、溶液中フッ素濃度の低下が消石灰添加によるカルシウム供給によるものか、ｐＨの上昇によるものか、あるいはその両者の働きによるものかは不明である。しかし、浄水ケーキと消石灰の共存が溶液中のフッ素濃度の低下に寄与することは明らかである。
【００４６】
［実施例７］
消石灰添加が浄水ケーキによるフッ素汚染土中の水溶性フッ素の不溶化能を増強することは実施例６で認めたが、その効果が消石灰のカルシウムによるものか、消石灰のアルカリ効果（ｐＨ上昇効果）によるものかを区別することができなかった。ここでは、ｐＨ上昇効果を有しないカルシウム塩を用いて同様の試験を行い、上記の点を明らかにすることを試みた。
【００４７】
すなわち、フッ素汚染土２０ｇに浄水ケーキ２ｇを加えたものに消石灰を添加した処理区（Ｎｏ．８Ｃ、８Ｄ）と、それと同量の塩化カルシウムを添加した処理区（Ｎｏ．８Ｅ、８Ｆ）を設け、よく混合したのち２００ｍｌの水を加えて３時間振とう抽出した。そのろ液中のフッ素濃度を表７に示す。
【００４８】
【表７】
2009000593.tif 000008
汚染土中の水溶性フッ素濃度は、いずれのカルシウム含有資材の添加によっても低下したが、その低下度合は消石灰に比べて塩化カルシウム添加の方が顕著であった。このことから、フッ素の不溶化はアルカリ効果よりもカルシウム効果が主体に働いているとみなされた。
【００４９】
また、カルシウムと同様の効果が期待されるマグネシウムについて調査した結果が表８である。
【００５０】
【表８】
2009000593.tif 000009
これより明らかなように、マグネシウムにもカルシウムと同様に浄水ケーキによるフッ素不溶化能を増強する働きが存在することを確認することができた。
【００５１】
［実施例８］
本発明の水溶性フッ素化合物溶出防止用資材は、処理対象となるフッ素汚染土と非汚染領域との境界部分に充填して、透水性のあるフッ素化合物遮断壁を形成するのに好適である。このフッ素化合物遮断壁の性能を評価するため、以下のような実験を行った。
【００５２】
まず、実験器具として、図１に示すような、アクリル製容器を用意した。このアクリル製容器は、５つの充填槽１Ａ〜１Ｅ（各充填槽とも容量１５ｃｍ×１５ｃｍ×１５ｃｍ）を有するもので、１つの充填槽１Ａにはフッ素汚染土が充填され、残りの４つの充填槽１Ｂ〜１Ｅには浄水ケーキ粒（粒径：８〜３０ｍｍ）が充填されている。
【００５３】
また、各充填槽１Ａ〜１Ｅに隣接する位置には、５つの採水槽３Ａ〜３Ｅが設けられている。充填槽１Ａ〜１Ｅと採水槽３Ａ〜３Ｅは、流出路５および流入路７を介して連通しており、充填槽１Ａへ水が流れ込むと、その水は、採水槽３Ａ→充填槽１Ｂ→採水槽３Ｂ→充填槽１Ｃ→採水槽３Ｃ→充填槽１Ｄ→採水槽３Ｄ→充填槽１Ｅ→採水槽３Ｅの順に流れて（図中点線矢印参照）、最終的に採水槽３Ｅの外部へと流出するようになっている。
【００５４】
以上のような実験器具を利用して、充填槽１Ａに水道水を一定流量（５５０ｍｌ／時間）で５週間連続して供給した。その間、１〜５週間後に採水槽３Ａ〜３Ｅ（採水地点＃１〜＃５）において通過水を採取した。これら各採水地点＃１〜＃５におけるフッ素濃度を表すグラフを図２に示す。
【００５５】
図２から明らかなように、フッ素汚染土を通過した直後（＝採水地点＃１）のフッ素濃度は、環境基準（０．８ｍｇ／ｌ）より高い値（１．３８〜２．３０ｍｇ／ｌ）が５週間継続したが、浄水ケーキ槽（充填槽１Ｂ〜１Ｅ）を通過した溶液中のフッ素濃度は、１週間後の採水地点＃２のものを除き、いずれも環境基準（０．８ｍｇ／ｌ）以下にまで低下していた。
【００５６】
この実験結果は、浄水ケーキ粒を透水性のあるフッ素化合物遮断壁材として用いることによって、地下水中のフッ素汚染を軽減できることを示唆するものである。すなわち、本発明の水溶性フッ素化合物溶出防止用資材は、汚染土に添加、混合すると好適なのはもちろんのこと、汚染土や固形産業廃棄物などの処理対象と非汚染領域との境界部分に充填して、透水性のあるフッ素化合物遮断壁を形成する際にも利用できるものである。
【００５７】
なお、透水性を確保するためには、浄水ケーキ粒の粒径は過剰に小さくない方が好ましく、その粒径の一例としては８〜３０ｍｍ程度のものを用いるとよいが、この粒径の大小は施工現場の地盤がどの程度透水性のある地盤か、施工後にどの程度の透水性を確保したいのかなど、様々な条件に応じて適宜調整すればよい。
【００５８】
［変形例等］
以上、本発明の実施形態について説明したが、本発明は上記の具体的な一実施形態に限定されず、この他にも種々の形態で実施することができる。
【００５９】
例えば、上記実施形態では、カルシウム化合物やマグネシウム化合物の具体的な例をいくつか示したが、新たな汚染原因とならない化合物であれば、他のカルシウム化合物やマグネシウム化合物を添加してもよいことはもちろんである。
【００６０】
いくつかの具体例を挙げれば、ＣａＣＯ3、Ｍｇ（ＯＨ）2、ＣａＳＯ4、などの無機塩を添加してもよい。また、これらの無機塩以外に、ドロマイトやドマモライトなどのマグネシウムやカルシウムを含む鉱物を添加してもよい。
【図面の簡単な説明】
【００６１】
【図１】フッ素化合物遮断壁の性能評価用実験器具の構造図。
【図２】フッ素濃度の測定結果を表すグラフ。
【符号の説明】
【００６２】
１Ａ，１Ｂ，１Ｃ，１Ｄ，１Ｅ・・・充填槽、３Ａ，３Ｂ，３Ｃ，３Ｄ，３Ｅ・・・採水槽、５・・・流出路、７・・・流入路。
【図１】
2009000593.tif 000010
【図２】
2009000593.tif 000011